(57)【要約】【課題】プリント配線基板を取り付けスペースに合わせて小型化することができるプリント配線基板を提供する。【解決手段】複数の信号線を有する多色ＬＥＤが縦列に配置されたプリント配線基板であって、コネクタと、該コネクタから最も離れた位置にある前記多色ＬＥＤに対して一本の電源配線により電源電圧を供給するようにした。【選択図】図２
2009066081.tif 000002
【特許請求の範囲】
【請求項１】
複数の異なる色で発光する発光ダイオードを備えた多色発光ダイオードを縦列接続した多色発光ダイオード群が搭載されたプリント配線基板であって、
コネクタから最も離れた位置にある多色発光ダイオードに１本の電源配線を介して電源電圧を供給することを特徴とするプリント配線基板。
【請求項２】
前記多色発光ダイオードは、赤色発光ダイオード、緑色発光ダイオード、及び青色発光ダイオードを備えたフルカラーＬＥＤであることを特徴とする請求項１に記載のプリント配線基板。
【請求項３】
請求項１又は２に記載のプリント配線基板を備えたことを特徴とする遊技盤。
【請求項４】
請求項３に記載の遊技盤を備えたことを特徴とするパチンコ遊技機。
【発明の詳細な説明】
【技術分野】
【０００１】
本発明は、複数の多色の発光ダイオード（以下、「ＬＥＤ」と称する）が搭載されるプリント配線基板と、そのプリント配線基板を備えた遊技盤、及びパチンコ遊技機に関するものである。
【背景技術】
【０００２】
近年のパチンコ遊技機は、電飾による演出効果を高めるために遊技盤の裏面側に赤色ＬＥＤ、緑色ＬＥＤ、青色ＬＥＤからなる多色ＬＥＤ（フルカラーＬＥＤ）を搭載したプリント配線基板が取り付けられている。
図４は従来のプリント配線基板の構成を概念的に示した図である。
この図４に示すプリント配線基板１００には、赤色ＬＥＤ、緑色ＬＥＤ、青色ＬＥＤからなる多色ＬＥＤ１０１ａ、１０１ｂ、１０１ｃ、１０１ｄが、プリント配線基板１００の長辺方向に沿って縦列に接続されてＬＥＤ群１０１を形成している。
ＬＥＤ群１０１には、プリント配線基板１０１上に設けたコネクタ１０２から最も近い位置にある多色ＬＥＤ１０１ａの各色ＬＥＤのアノードに１本の電源配線１０３を接続して電源電圧を供給する。そして、この多色ＬＥＤ１０１ａの各色ＬＥＤのカソードを、多色ＬＥＤ１０の各色ＬＥＤのアノードにそれぞれ接続する。そしてこの多色ＬＥＤ１０１ｂの各色ＬＥＤのカソードを、次の多色ＬＥＤ１０１ｃの各色ＬＥＤのアノードにそれぞれ接続し、最終的にはコネクタ１０２から最も離れた位置にある多色ＬＥＤ１０１ｄの各色ＬＥＤのカソードに接続された配線１０４をそれぞれコネクタ１０２に戻すようにしていた。
なお、特許文献１には、略全面に亘って電気部品としての多数のＬＥＤが取り付けられている遊技機のＬＥＤ基板が開示されている。
【特許文献１】特開２００５−３２８９０２公報（図６）
【発明の開示】
【発明が解決しようとする課題】
【０００３】
しかしながら、図４に示したような従来のプリント配線基板１００では、ＬＥＤ群１０１の多色ＬＥＤ１０１ｄからそれぞれ３本ずつ配線１０４が引き出されるため、ＬＥＤ群１０１の数に比例するため、多色ＬＥＤ１０１ｄから引き出される配線１０４の本数が増加する。このため、各ＬＥＤ群１０１から引きだされる配線同士のスペースを確保しようとすると、プリント配線基板１０１の幅（Ｗ２）が長くなり、例えばプリント配線基板１００を取り付けスペースに合わせて小型化できないといった問題点があった。
本発明は上記した点を鑑みてなされたものであり、プリント配線基板を取り付けスペースに合わせて小型化することができるプリント配線基板、遊技盤、及びパチンコ遊技機を提供することを目的とする。
【課題を解決するための手段】
【０００４】
上記目的を達成するため、請求項１記載の発明は、複数の異なる色で発光するＬＥＤを備えた多色ＬＥＤを縦列接続した多色ＬＥＤ群が搭載されたプリント配線基板であって、コネクタと、該コネクタから最も離れた位置にある多色ＬＥＤに１本の電源配線を介して電源電圧を供給することを特徴とする。
また請求項２記載の発明は、前記多色ＬＥＤは、赤色ＬＥＤ、緑色ＬＥＤ、及び青色発光ＬＥＤを備えたフルカラーＬＥＤであることを特徴とする。
また請求項３に記載の発明は、請求項１又は２に記載のプリント配線基板を備えた遊技盤を特徴とする。
また請求項４に記載の発明は、請求項３に記載の遊技盤を備えたパチンコ遊技機を特徴とする。
【発明の効果】
【０００５】
本発明によれば、コネクタから最も離れた位置にある多色ＬＥＤに１本の電源配線を介して電源電圧を供給するように構成したことで、従来のようにコネクタから最も離れた位置にある多色ＬＥＤから複数本の配線を引き出してコネクタに接続する必要がないので、配線同士間のスペースを大幅に削減することが可能になる。よって、プリント配線基板を取り付けスペースに合わせて容易に小型化することができる。
【発明を実施するための最良の形態】
【０００６】
以下、本発明を図面に示した実施の形態により詳細に説明する。
図１は、本発明の実施形態に係るパチンコ遊技機の構成例を示した全体正面図である。
パチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２を設けたりしている。
【０００７】
遊技盤３のほぼ中央部には、中央が開口したセンター部材７が配置される。センター部材７の内部には、図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
センター部材７の上部中央に設けられた可動装飾体設置領域７ａには、可動盤面部品である可動装飾体が設けられている。可動装飾体は、この例では遊技の進行に関与するギミックである黒ひげの顔部と胴体を象ったものである。
センター部材７の下方には、図柄表示装置９の特別図柄を可変表示させるための可変入賞装置１１が設けられている。また、センター部材７の左側には、遊技盤の右下部に配置された普通図柄表示装置１０に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップとを備えて構成される。
【０００８】
遊技盤３には普通入賞口１６やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
また本実施の形態では、遊技盤３の左サイドの周縁に装飾部材（サイドランプ）２０が配置されている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
図柄表示装置９に表示される特別図柄は、停止図柄が予め定められた図柄の組合せ、例えば同一図柄の組合せとなった場合に大当たり状態となるように構成されている。また特別図柄は、可変入賞装置１１の上始動ポケット１４又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。
【０００９】
そして、本実施の形態のパチンコ遊技機１では、遊技盤３の左サイドの周縁に設けられている装飾部材を発光させるためのＬＥＤが搭載されたプリント配線基板を以下のように構成する点に特徴がある。
図２は、本実施の形態のプリント配線基板の構成を概念的に示した図であり、（ａ）はプリント配線基板の全体図、（ｂ）は多色ＬＥＤの構成を示した図である。
この図２に示すプリント配線基板３０は、多色ＬＥＤ３１ａ、３１ｂ、３１ｃ、３１ｄが、プリント配線基板３０の長辺方向に沿って縦列に接続されてＬＥＤ群３１を形成している。多色ＬＥＤ３１ａ〜３１ｄは、図２（ｂ）に示すように赤色ＬＥＤ４０Ｒ、緑色ＬＥＤ４０Ｇ、及び青色ＬＥＤ４０Ｂを備えたフルカラーＬＥＤである。
【００１０】
本実施の形態は、プリント配線基板３０上に設けたコネクタ３２から最も離れた位置にある多色ＬＥＤ３１ｄの赤色ＬＥＤ４０Ｒ、緑色ＬＥＤ４０Ｇ、青色ＬＥＤ４０Ｂの各アノードに１本の電源配線３３を接続して電源電圧を供給する。そして、この多色ＬＥＤ３１ｄの赤色ＬＥＤ４０Ｒ、緑色ＬＥＤ４０Ｇ、青色ＬＥＤ４０Ｂの各カソードを、多色ＬＥＤ３１ｃの赤色ＬＥＤ４０Ｒ、緑色ＬＥＤ４０Ｇ、青色ＬＥＤ４０Ｂの各アノードにそれぞれ接続する。そしてこの多色ＬＥＤ３１ｃの赤色ＬＥＤ４０Ｒ、緑色ＬＥＤ４０Ｇ、青色ＬＥＤ４０Ｂの各カソードを、次の多色ＬＥＤ３１ｂの赤色ＬＥＤ４０Ｒ、緑色ＬＥＤ４０Ｇ、青色ＬＥＤ４０Ｂの各アノードにそれぞれ接続し、最終的にはコネクタ３２から最も近い位置にある多色ＬＥＤ３１ａの赤色ＬＥＤ４０Ｒ、緑色ＬＥＤ４０Ｇ、青色ＬＥＤ４０Ｂの各カソードに接続された配線３４をそれぞれコネクタ３２に戻すようにしている。
【００１１】
このように本実施の形態のプリン配線基板３０では、コネクタ３２から最も離れた位置にある多色ＬＥＤ３１ｄに１本の電源配線３３を接続して電源電圧を供給すると、電源配線３３のパターン幅は若干広くなるものの、従来のようにコネクタから最も離れた位置にある多色ＬＥＤから複数本の配線を引き出してコネクタに戻す必要がないので、プリント配線基板３０の幅（Ｗ１）を、従来のプリント配線基板１００の幅（Ｗ２）より短くすることができる。つまり、プリント配線基板３０を取り付けスペースに合わせて小型化するといったことが可能になる。
【００１２】
図３は、本実施の形態のパチンコ遊技機１の遊技盤３に搭載されるＬＥＤ基板の一例を示した図であり、（ａ）はＬＥＤ基板の部品配置を示す正面図、（ｂ）はＬＥＤ基板を正面から見た場合の裏面の導体パターンを示した図である。
図３（ａ）に示すようにＬＥＤ基板５１の表面側には、多色ＬＥＤ５２やコネクタ５３が搭載されている。また図３（ｂ）に示すようにＬＥＤ基板５１の裏面側には、電源用の導体パターン５４が１本形成されていることが見て取れる。
従って、このようにＬＥＤ基板５１を構成すれば、基板の形状を取り付けスペースに合わせて容易に小型化することが可能になる。
【００１３】
なお、本実施形態では、多色ＬＥＤ３１ａ〜３１ｄが赤色ＬＥＤ４０Ｒ、緑色ＬＥＤ４０Ｇ、及び青色ＬＥＤ４０Ｂを備えたフルカラーＬＥＤを例に挙げて説明したが、これはあくまでも一例であり、多色ＬＥＤとして２色ＬＥＤなどを用いることも勿論可能である。
【図面の簡単な説明】
【００１４】
【図１】本発明の一実施形態に係るパチンコ遊技機の構成例を示した全体正面図である。
【図２】本実施の形態のプリント配線基板の構成を概念的に示した図であり、（ａ）はプリント配線基板の全体図、（ｂ）は多色ＬＥＤの構成を示した図である。
【図３】本実施の形態のパチンコ遊技機１の遊技盤３に搭載されるＬＥＤ基板の一例を示した図であり、（ａ）はＬＥＤ基板の部品配置を示す正面図、（ｂ）はＬＥＤ基板を正面から見た場合の裏面の導体パターンを示した図である。
【図４】従来のプリント配線基板の構成を概念的に示した図である。
【符号の説明】
【００１５】
１…パチンコ遊技機、２…枠、３…遊技盤、３ａ…遊技領域、４…皿部、５…発射レバー、７…センター部材、１０…普通図柄表示装置、１１…可変入賞装置、１２…ゲート、１３…大入賞口、１４…普通入賞口、１５…アウト口、３０…プリント配線基板、３１…多色ＬＥＤ群、３１ａ〜３１ｄ  ５２…多色ＬＥＤ、３２  ５３…コネクタ、３３…電源配線、３４…配線、４０Ｒ…赤色ＬＥＤ、４０Ｇ…緑色ＬＥＤ、４０Ｂ…青色ＬＥＤ、５１…ＬＥＤ基板、５４…導体パターン
【図１】
2009066081.tif 000003
【図２】
2009066081.tif 000004
【図３】
2009066081.tif 000005
【図４】
2009066081.tif 000006